(57)【特許請求の範囲】
【請求項１】
混合物装入通路を備えた溶融槽であって、混合物装入通路の通路カバーに排ガス煙突が設けられており、混合物装入通路の装入開口が、当該溶融槽の運転の間、装入扉または装入フラップによって閉鎖可能であり、かつ混合物を装入するために開放可能である形式のものにおいて、
当該溶融槽（１０）の運転の間、閉鎖された装入扉（１３）または装入フラップのノズル（１５）を介して連続的な空気流が、装入通路（３０）内に導入可能であり、
混合物の装入時に装入扉（１３）または装入フラップが調節されており、これによって、ノズル（１５）が、装入通路（３０）の領域から移動させられており、
装入扉（１３）または装入フラップが、吸込み装置（１６）を有しており、
装入扉（１３）または装入フラップが、開放位置で吸込み装置（１６）によって通路カバー（１１）の下側の装入開口の一部領域をカバーしていて、該一部領域の下側に位置する装入開口の領域を装入装置（２０）のために開放していることを特徴とする、混合物装入通路を備えた溶融槽
【請求項２】
装入扉（１３）に空気接続部（１４）が設けられており、該空気接続部（１４）が、装入扉（１３）のノズル（１５）に接続されており、該ノズル（１５）が、装入扉（１３）の多孔性の石によって形成されている、請求項１記載の溶融槽。
【請求項３】
装入扉（１３）が、装入開口を開放するために鉛直上向きに調節可能であり、通路カバー（１１）が、装入通路（３０）に向けられたノズル（１５）をカバーしており、
装入扉（１３）の下側の領域に配置された吸込み装置（１６）が、下側の通路壁（３１）によって生ぜしめられた閉鎖位置から移動させられていて、装入通路（３０）の上側の領域に向かい合った開放位置に調節されている、請求項１または２記載の溶融槽。
【請求項４】
装入通路（３０）の通路カバー（１１）および下側の通路壁（３１）ならびに装入扉（１３）が、耐火性の材料から成っている、請求項１から３までのいずれか１項記載の溶融槽。
【請求項５】
装入装置（２０）が、装入取鍋として形成されている、請求項１から４までのいずれか１項記載の溶融槽。
【発明の詳細な説明】
【０００１】
【発明の属する技術分野】
本発明は、混合物装入通路を備えた溶融槽であって、混合物装入通路の通路カバーに排ガス煙突が設けられており、混合物装入通路の装入開口が、当該溶融槽の運転の間、装入扉または装入フラップによって閉鎖可能であり、かつ混合物を装入するために開放可能である形式のものに関する。
【０００２】
【従来の技術】
このような形式の溶融槽では、特に混合物装入の間、混合物成分または炉室雰囲気成分を外部に排出する装入開口に、しばしば激しい散粉もしくはダスティング（Ｖｅｒｓｔａｕｂｕｎｇ）とガス発生とが生ぜしめられる。この有害な環境汚染は特殊な手段によってくい止められなければならない。付加的に、混合物成分の作用によって、装入通路と、装入開口を閉鎖する装入扉または装入フラップとの材料に対する侵食が生ぜしめられる。さらに、これらの物質は、これらの構成部分に堆積しかつ手間のかかる洗浄手段または修理手段によって除去されなければならない。
【０００３】
【発明が解決しようとする課題】
本発明の課題は、冒頭で述べた形式の溶融槽を改良して、混合物の装入時に生ぜしめられる環境汚染を装入扉または装入フラップと装入通路との領域で簡単にくい止めることができ、環境汚染の有害な作用を両装置部分の領域で低減することができるようにすることである。
【０００４】
【課題を解決するための手段】
この課題を解決するために本発明の構成では、当該溶融槽の運転の間、閉鎖された装入扉または装入フラップのノズルを介して連続的な空気流が、装入通路内に導入可能であり、混合物の装入時に装入扉または装入フラップが調節されており、これによって、ノズルが、装入通路の領域から移動させられており、かつ装入扉または装入フラップが、吸込み装置によって通路カバーの下側の領域をカバーしていて、該領域の下側に位置する装入開口の領域を装入装置のために開放しているようにした。
【０００５】
【発明の効果】
本発明による構成では、溶融槽の運転の間、排ガス煙突の下側の装入通路に空気滞留が形成される。この空気滞留は、一方では溶融物内への周囲空気の不純物の侵入をかつ他方では溶融設備から装入通路ひいては環境への粉塵および排ガスの侵出を十分に阻止している。これによって、装入通路内の堆積物が回避され、こうして、装入通路の材料に対するアグレッシブ（ａｇｇｒｅｓｓｉｖ）な、つまり腐食性の物質の作用が最小限に抑えられる。付加的に、冷却によって材料負荷が著しく低減される。こうして、全体的に、該当する装置部分の耐用年数が延ばされ、コストのかかる洗浄作業および修理作業が節約される。
【０００６】
混合物装入の間、装入通路の上側のかなりの部分が、調節された装入扉または装入フラップによって閉鎖されているので、混合物の装入時に断続的に生ぜしめられる排気（粉塵および排ガス）は、排ガス煙突または吸込み装置を介して効果的に吸い込むことができる。この吸込み装置は、開放位置への装入扉または装入フラップの調節時に装入通路の下側の領域における装入開口に移動させられている。したがって、有害物質排出が著しく低減される。さらに、装入装置の上方におけるガス流の形成は有利に有効となる。
【０００７】
溶融設備の構造は単純なままであり、この溶融設備の部分は、減少させられた有害物堆積にさらされているので、全体的に、この溶融設備の部分の耐用年数が高められる。
【０００８】
本発明の有利な構成によれば、空気流を装入通路内に導入するために、装入扉に空気接続部が設けられており、該空気接続部が、装入扉のノズルに接続されており、該ノズルが、装入扉の、多孔性の石面として形成されている。
【０００９】
本発明の簡単な構成によれば、閉鎖位置から開放位置への装入扉の調節を行うためには、装入扉が、装入開口を開放するために鉛直上向きに調節可能であり、通路カバーが、装入通路に向けられたノズルをカバーしており、装入扉の下側の領域に配置された吸込み装置が、下側の通路壁によって生ぜしめられた閉鎖位置から移動させられていて、装入通路の上側の領域に調節されている。
【００１０】
装入通路の通路カバーおよび下側の通路壁ならびに装入扉または装入フラップが、耐火性の材料から成っており、混合物のための装入装置が、最も単純な構成では装入取鍋として形成されていてよい。
【００１１】
当然ながら、本発明は、装入開口と装入システムとの別の構成でも同様に有利な形式で使用可能である。
【００１２】
【発明の実施の形態】
以下に、本発明の実施の形態を図面につき詳しく説明する。
【００１３】
図面には、溶融設備の装入領域しか示されていない。この装入領域は、本発明を説明するためには重要であり、装入開口の領域と、排ガス煙突１２を備えた装入通路３０とを有している、すなわち概略的に示した溶融槽１０の装入領域を有している。
【００１４】
図１に示したように、溶融槽１０に前置された装入通路３０は、通路カバー１１と下側の通路壁３１とによって仕切られる。通路カバー１１には排ガス煙突１２が分岐している。溶融槽１０の運転の間、装入通路３０の装入開口は装入扉１３によって閉鎖されている。この装入扉１３には、空気接続部１４とノズル１５とを備えた通気システムが組み込まれている。この通気システムによって、装入通路３０に連続的な空気流を供給することができる。ノズル１５は、耐火性の材料から成る装入扉１３に、有利には多孔性の石面として形成されているが、付加的な開口を有していてもよい。
【００１５】
図１に矢印によって示したように、排ガス煙突１２の領域には、溶融槽１０から排出された排ガス流を有する空気滞留が形成され、これによって、申し分のない吸込みが達成される。さらに、大気と溶融槽１０との申し分のない分離が提供されるので、溶融槽１０内の溶融物への環境影響および装入通路３０から大気中への有害物質排出（Ｉｍｍｉｓｓｉｏｎ）も生ぜしめられることはあり得ない。
【００１６】
図２に示したように、装入扉１３は、装入通路３０の装入開口を開放するために上方に調節することができる。この場合、ノズル１５は通路カバー１１によって閉鎖されるかもしくは装入通路３０の外部に変位させられる。しかし、吸込み装置１６を備えた装入扉１３の下側の領域は装入開口の上側の領域にとどまっているので、装入扉１３の下側の領域には、装入装置２０として形成された装入取鍋の上方に生ぜしめられた排ガス流が衝突することができる。これによって、まさに混合物を溶融槽１０内に装入する場合に、装入通路３０から大気中への有害物質排出を著しく低減させることができる。さらに、装入通路３０と装入扉１３とにおける堆積物が減少させられる。
【００１７】
これと同じ機能は、調節可能な装入扉１３の代わりに、装入通路３０の装入開口に設けられた装入フラップでも引き受けることができ、装入システムとして、別の装入装置２０を使用することもできる。
【図面の簡単な説明】
【図１】閉鎖された装入開口と、装入通路とを備えた溶融設備の一部を示す図である。
【図２】装入開口が開放している溶融設備の、図１と同じ部分を示す図である。
【符号の説明】
１０  溶融槽、  １１  通路カバー、  １２  排ガス煙突、  １３  装入扉、１４  空気接続部、  １５  ノズル、  １６  吸込み装置、  ２０  装入装置、  ３０  装入通路、  ３１  装入壁
【図１】
0004448631.tif 000002
【図２】
0004448631.tif 000003